(57)【要約】【課題】防水に対応し、かつ防水不要の環境下において、放熱性を高めＣＰＵの処理能力の向上可能な情報処理装置を提供する。【解決手段】ＡＣアダプタを接続する電源入力端子１０２と、防水のためそれを覆う蓋１０４と、蓋１０４に覆われる領域に、内蔵されたファンにより発生した風を装置外部に出すための通風孔１０３を配置することにより、防水時は蓋１０４を閉めて内蔵の電池を使用、防水不要時つまり外部電源供給時は蓋１０４を開けるため、通風孔１０３を通して放熱することができる。【選択図】  図１
2004151946.tif 000002
【特許請求の範囲】
【請求項１】
ＡＣアダプタを接続する電源入力端子と、情報処理装置内部から外部にまたは情報処理装置外部から内部に空気の流れを発生させるファンと、空気が流入または流出する通風孔と、前記電源入力端子と前記通風孔とを同時に開蓋および閉蓋可能な開閉蓋とを備えた情報処理装置。
【請求項２】
筐体は、通風孔を除き、外部への開口部を持たない請求項１記載の情報処理装置。
【請求項３】
開閉蓋の開閉を検出するスイッチを設け、開蓋時のみファンが動作する請求項１記載の情報処理装置。
【請求項４】
電源入力端子にＡＣアダプタが接続されたことを検出し、ファンを動作させる請求項１記載の情報処理装置。
【請求項５】
開閉蓋の開蓋を検出し、ＣＰＵの処理速度を上げるようにした請求項３記載の情報処理装置。
【請求項６】
ＡＣアダプタの接続を検出し、ＣＰＵの処理速度を上げるようにした請求項４記載の情報処理装置。
【請求項７】
情報処理装置内部から外部にまたは情報処理装置外部から内部に空気の流れを発生させるファンと、空気が流入または流出する通風孔と、前記通風孔を開蓋および閉蓋可能な開閉蓋と、前記開閉蓋の開閉を検出するスイッチとを備え、開閉蓋の開蓋を検出し、開蓋時のみファンが動作するようにした情報処理装置。
【請求項８】
空気が流入または流出する通風孔と、前記通風孔を開蓋および閉蓋可能な開閉蓋と、前記開閉蓋の開閉を検出するスイッチとを備え、開閉蓋の開蓋を検出し、ＣＰＵの処理速度を上げるようにした情報処理装置。
【請求項９】
筐体は、通風孔を除き、外部への開口部を持たない請求項７または８記載の情報処理装置。
【発明の詳細な説明】
【０００１】
【発明の属する技術分野】
本発明は、防水対策を施したノートパソコンや携帯端末などの情報処理装置に関する。
【０００２】
【従来の技術】
近年、様々な分野でノートパソコンや携帯端末などの情報処理装置が利用されるようになり、使用される場所、環境も広がり続けている。それに伴って防水の必要がある屋外での使用なども一般的となってきている。
【０００３】
図３は、従来の情報処理装置の構成を示す外観斜視図である。
【０００４】
図３に示すように、従来の情報処理装置は、筐体３０１と、電源入力端子３０２と、防水のための蓋３０３とを備えている。
【０００５】
以下に、上記従来の情報処理装置の動作について説明する。
【０００６】
筐体３０１は電源入力端子部以外には開口部を持たず、ＡＣアダプタ接続のための電源入力端子３０２は、防水のために蓋３０３を備え、屋外で使用する場合は、防水のため蓋３０３を閉じ、筐体３０１に内蔵された電池（図示せず）を電源として使用する。また、防水が不要な屋内で使用する場合は、電源供給や内蔵電池の充電のため蓋３０３を開けて電源入力端子３０２にＡＣアダプタ（図示せず）を接続して使用する。電源入力端子３０２以外に接続端子が必要な場合は、電源入力端子３０２と同様にそれぞれ防水のための蓋を設ける。
【０００７】
なお、特許文献１としては下記のものがある。
【０００８】
【特許文献１】
特開平８−９５９２０号公報
【０００９】
【発明が解決しようとする課題】
しかしながら、このような従来の情報処理装置においては、防水構造を取っているため、情報処理装置内部のＣＰＵなどから発生した熱を外部に放出し、あるいは外気を導入して情報処理装置内部を冷却するために必要な通風孔及びファンを設けることができない。このため、熱的な制限で動作中に充電できなかったり、防水の不要な条件の場合でもＣＰＵの処理能力を高めたりすることができないといった問題があった。
【００１０】
本発明は、防水に対応し、かつ防水不要の環境下において、放熱性を高めＣＰＵの処理能力を向上可能な情報処理装置を提供する。
【００１１】
【課題を解決するための手段】
上記課題を解決するために本発明の情報処理装置は、通風孔を除き、開口部を持たない筐体と、ＡＣアダプタを接続する電源入力端子と、情報処理装置内部から外部にまたは情報処理装置外部から内部に空気の流れを発生させるファンと、空気が流入または流出する通風孔と、電源入力端子と通風孔とを同時に開蓋および閉蓋可能な開閉蓋とを備え、ＡＣアダプタを接続する際に蓋を開けることにより通風孔も開かれるため、ファンで内部の熱を外部に出すことができ、動作中に充電を行ったり、ＣＰＵの処理速度を上げたりすることができる。
【００１２】
【発明の実施の形態】
本発明の請求項１に記載の発明は、ＡＣアダプタを接続する電源入力端子と、情報処理装置内部から外部にまたは情報処理装置外部から内部に空気の流れを発生させるファンと、空気が流入または流出する通風孔と、前記電源入力端子と前記通風孔とを同時に開蓋および閉蓋可能な開閉蓋とを備えた情報処理装置であり、ＡＣアダプタを接続する際に蓋を開けることにより、ファンにより内部の熱を外部に出すことができ、動作中に充電を行ったり、ＣＰＵの処理速度をあげたりすることができる。
【００１３】
請求項２に記載の発明は、請求項１記載の情報処理装置において、筐体が、通風孔を除き、外部への開口部を持たないというものであり、防水性能を高めるとともに防水不要時の放熱効果を向上させることができる。
【００１４】
請求項３に記載の発明は、請求項１記載の情報処理装置において、開閉蓋の開閉を検出するスイッチを設け、開蓋時のみファンが動作するというものであって、ＡＣアダプタ接続の有無に関わらず蓋の開閉状態に連動させて確実にファンを制御することができる。
【００１５】
請求項４に記載の発明は、請求項１記載の情報処理装置において、電源入力端子にＡＣアダプタが接続されたことを検出し、ファンを動作させるというものであってスイッチを設けることなく開閉蓋の開蓋を検出しファンを制御することができる。
【００１６】
請求項５に記載の発明は、請求項３記載の情報処理装置において、開閉蓋の開蓋を検出し、ＣＰＵの処理速度を上げるようにしたというものであって、放熱効果に応じて処理性能を高めることができる。
【００１７】
請求項６に記載の発明は、請求項４記載の情報処理装置において、ＡＣアダプタの接続を検出し、ＣＰＵの処理速度を上げるようにしたというものであって、放熱効果に応じて処理性能を高めることができる。
【００１８】
請求項７に記載の発明は、情報処理装置内部から外部にまたは情報処理装置外部から内部に空気の流れを発生させるファンと、空気が流入または流出する通風孔と、前記通風孔を開蓋および閉蓋可能な開閉蓋と、前記開閉蓋の開閉を検出するスイッチとを備え、開閉蓋の開蓋を検出し、開蓋時のみファンが動作するようにした情報処理装置であり、蓋の開閉状態に連動させて確実にファンを制御することができる。
【００１９】
請求項８に記載の発明は、空気が流入または流出する通風孔と、前記通風孔を開蓋および閉蓋可能な開閉蓋と、前記開閉蓋の開閉を検出するスイッチとを備え、開閉蓋の開蓋を検出し、ＣＰＵの処理速度を上げるようにした情報処理装置であり、放熱効果に応じて処理性能を高めることができる。
【００２０】
請求項９に記載の発明は、請求項７または８記載の情報処理装置筐体において、通風孔を除き、外部への開口部を持たないというもので、防水性能を高めるとともに防水不要時の放熱効果を向上させることができる。
【００２１】
以下、本発明の実施の形態を、図面を用いて詳細に説明する。
【００２２】
（実施の形態１）
図１は、本発明の実施の形態１に係る情報処理装置の構成を示す外観斜視図である。
【００２３】
図１に示すように、この情報処理装置は防水のため、通風孔以外には開口部を持たない筐体１０１と、外部電源であるＡＣアダプタ（図示せず）を接続する電源入力端子１０２と、放熱のための内蔵されたファン（図示せず）により発生した風を装置外部に出すための通風孔１０３と、ＡＣアダプタを接続する端子および通風孔１０３を防水するための蓋１０４とを備えている。ファンは、外部電源から電源供給があった場合のみに動作する。
【００２４】
以下に、本実施の形態に係る情報処理装置の動作について説明する。
【００２５】
筐体１０１は蓋１０４の部分以外の開口部を持たないため、屋外等で電源として内蔵の電池を使用する場合、蓋１０４を閉じることにより通風孔１０３が塞がれ防水状態とすることができる。この場合、通風孔１０３が塞がれているため、筐体内部のＣＰＵなどから発生した熱をファンによって外部に放熱できないため、ＣＰＵの処理速度を上げることができない。次に屋内で使用する場合は、防水の必要がないため、蓋１０４を開けて電源入力端子１０２に外部電源であるＡＣアダプタを接続する。このとき電源入力端子１０２と同時に蓋１０４で覆われている通風孔１０３も開放されるので、外部電源供給と共にファンが動作することにより放熱効果を高めることができ、従ってＣＰＵの処理速度を上げることができる。
【００２６】
（実施の形態２）
図２は、本発明の実施の形態２に係る情報処理装置の構成を示す外観斜視図である。
【００２７】
図２において、２０１は筐体、２０２は電源入力端子、２０３は通風孔、２０４は蓋である。実施の形態１と異なるところは、蓋２０４の開閉状態を検出するためのスイッチ２０５を備えたところである。このスイッチは内蔵されたファン（図示せず）の動作のＯＮ／ＯＦＦも行う。
【００２８】
以下に、本実施の形態に係る情報処理装置の動作について説明する。
【００２９】
第１の実施の形態と同様、筐体２０１は蓋２０４の部分以外の開口部を持たないため、屋外等で電源として内蔵の電池を使用する場合、蓋２０４を閉じることにより通風孔２０３が塞がれ防水状態とすることができる。この場合、通風孔２０３が塞がれているため、筐体内部のＣＰＵなどから発生した熱をファンによって外部に放熱できないため、ＣＰＵの処理速度を上げることができない。次に屋内で使用する場合は、防水の必要がないため、蓋２０４を開けて電源入力端子２０２に外部電源であるＡＣアダプタを接続する。このとき蓋２０４が開くと同時に蓋２０４の開閉を検出するスイッチ２０５がＯＮになり、ファンが動作を開始する。一方、蓋２０４で覆われている通風孔２０３も開放されるので、ファンにより発生した風を外部に出すことができ、放熱効果を高めることができ、従ってＣＰＵの処理速度を上げることができる。
【００３０】
なお、本実施の形態では、蓋２０４の開閉にファンを連動させているが、ファンを備えていない場合でも蓋２０４の開閉を検出してＣＰＵの処理速度を上げることもできる。
【００３１】
また、いずれの実施の形態においても、開閉蓋が開き通風孔が開いている状態でなければＣＰＵの処理速度を上げることができない。従って、誤って通風孔を閉じたままＣＰＵの処理速度を上げてしまい、これによってＣＰＵおよび筐体内部が高温になり、ＣＰＵの破壊や誤動作などを起こすというような危険をなくすことができる。
【００３２】
【発明の効果】
以上詳述したように、本発明によれば、防水対策を施した情報処理装置においても屋内等防水対策の必要でない環境で使用する場合に動作状態で充電を行ったり、ＣＰＵの処理速度を高めることができ、さらには不充分な放熱構造のままＣＰＵの処理速度を高めてしまうという誤った使用をも防ぐことができる。
【図面の簡単な説明】
【図１】本発明の実施の形態１に係る情報処理装置の構成を示す外観斜視図
【図２】本発明の実施の形態２に係る情報処理装置の構成を示す外観斜視図
【図３】従来の実施の形態に係る情報処理装置の構成を示す外観斜視図
【符号の説明】
１０１、２０１  筐体
１０２、２０２  電源入力端子
１０３、２０３  通風孔
１０４、２０４  蓋
２０５  スイッチ
【図１】
2004151946.tif 000003
【図２】
2004151946.tif 000004
【図３】
2004151946.tif 000005